(57)【要約】  受信機の自動利得制御用の方法並びに装置は、受信信号途絶に対して利得制御動作の補償を行う。１つの実施例において、自動利得制御回路は指定された途絶の直前の時刻における制御状態情報を記憶し、その途絶の終了時点で自動利得制御回路をリセットするか、または自動利得制御回路をその途絶中に保持する。記憶機能は発生しそうな途絶を検出することにより、または十分に高速な更新速度で周期的にトリガを掛けられ、その記憶された情報が常に任意の指定された途絶に関して最新となるようにしている。従って、例として示す自動利得制御回路は受信機利得制御信号を、受信信号電力測定値をフィルタ処理することにより生成し、その利得制御信号の生成をフィルタ状態情報を信号途絶の直前にキャプチャすることにより補償している。補償はそのフィルタのリセットまたは凍結を含む。
2007532017.tif 000002
【特許請求の範囲】
【請求項１】
無線通信受信機における自動利得制御の方法であって：
受信信号に応答する自動利得制御回路を経由して受信機利得を変更し；
受信信号に途絶が有った場合に、記憶されている制御状態情報を用いて自動利得制御回路を補償することを含む、前記方法。
【請求項２】
請求項１記載の方法において、受信信号に途絶が有った場合に、記憶されている制御状態情報を用いて自動利得制御回路を補償することが、その途絶の終了時にその途絶に先だって格納された制御状態情報を用いて、自動利得制御回路をリセットすることを含む、前記方法。
【請求項３】
請求項１記載の方法において、受信信号に途絶が有った場合に、記憶されている制御状態情報を用いて自動利得制御回路を補償することが、その途絶の終了時にその途絶に先だって格納された制御状態情報を用いて、自動利得制御回路を凍結することを含む、前記方法。
【請求項４】
請求項１記載の方法において、受信信号に途絶が有った場合に、記憶されている制御状態情報を用いて自動利得制御回路を補償することが、無音期間途絶に対して、その無音期間の終了時にその無音期間途絶開始に先だって格納された以前の制御状態情報を用いて、自動利得制御回路をリセットすることを含む、前記方法。
【請求項５】
請求項１記載の方法において、受信信号に途絶が有った場合に、記憶されている制御状態情報を用いて自動利得制御回路を補償することが、無音期間途絶に対して、その無音期間の終了時にその無音期間途絶開始に先だって格納された以前の制御状態情報を用いて、自動利得制御回路を凍結することを含む、前記方法。
【請求項６】
請求項１記載の方法がさらに、自動利得制御回路用の制御状態情報のランニングバッファ（running buffer）を、記憶された制御状態情報として使用するために維持することを含む、前記方法。
【請求項７】
請求項１記載の方法がさらに、自動利得制御回路用の現在の制御状態情報を連続するサンプリング時刻で保存しておき、途絶の開始に先立つ１つまたは複数のサンプリング時刻で保存した制御状態情報を、自動利得制御回路補償に使用する記憶される制御状態情報として使用することを含む、前記方法。
【請求項８】
請求項７記載の方法がさらに、途絶の開始を検出し、検出された途絶開始より前の最も近くのサンプリング時刻で保存された制御情報を、自動利得制御回路補償に使用する記憶された制御状態情報として使用することを含む、前記方法。
【請求項９】
請求項１記載の方法において、受信信号に途絶がある場合に、記憶された制御状態情報を使用して自動利得制御回路を補償することが、受信信号の無音期間途絶に対して自動利得制御回路を補償することを含む、前記方法。
【請求項１０】
請求項１記載の方法において、受信信号に途絶がある場合に、記憶された制御状態情報を使用して自動利得制御回路を補償することが、受信信号の妨害電波途絶に対して自動利得制御回路を補償することを含む、前記方法。
【請求項１１】
請求項１記載の方法がさらに、受信信号に途絶が有るか否かを検出し、それに応答して自動利得制御回路の前記補償のトリガを掛けることを含み、前記検出が無音期間途絶の検出および妨害電波障害の検出の少なくとも１つを含む、前記方法。
【請求項１２】
請求項１記載の方法において、受信信号に応答する自動利得制御回路経由で受信機利得を変更することが、受信信号から導き出された信号サンプルを所望の範囲内に維持するために、必要に応じて１つまたは複数の受信機利得を増加または減少させることを含む、前記方法。
【請求項１３】
請求項１２記載の方法において、受信信号から導き出された信号サンプルを所望の範囲内に維持するために、必要に応じて１つまたは複数の受信機利得を増加または減少させることが、信号サンプルから得られたフィルタ処理された電力測定値に基づいて受信機利得を変更することを含む、前記方法。
【請求項１４】
請求項１３記載の方法において、受信信号に途絶が有る場合に、記憶された制御状態情報を用いて自動利得制御回路を補償することが、その途絶の終了時点で、フィルタ処理された電力測定値を得るために使用されるフィルタ回路を、記憶されたフィルタ状態情報を用いてリセットすることを含む、前記方法。
【請求項１５】
請求項１記載の方法において、受信信号に途絶が有る場合に、記憶された制御状態情報を用いて自動利得制御回路を補償することが、その途絶の終了時点で、自動利得制御回路用のフィルタ状態情報を、その途絶開始以前に格納されたフィルタ状態情報を用いてリセットすることを含む、前記方法。
【請求項１６】
無線通信受信機用に自動利得制御を提供するための自動利得制御回路であって、１つまたは複数の処理回路を含む前記自動利得制御回路が：
受信機利得を受信信号に応答して変更し；
受信信号の途絶を記憶された制御状態情報を用いて補償するように構成されている、前記自動利得制御回路。
【請求項１７】
請求項１６記載の自動利得制御回路において、１つまたは複数の処理回路が、受信信号用の信号測定値を生成するように構成された演算回路と、受信機利得を信号測定値の関数として変化させるように構成された制御回路とを含む、前記自動利得制御回路。
【請求項１８】
請求項１７記載の自動利得制御回路において、制御回路が受信機利得を信号測定値をフィルタ処理することに基づき変化させるように動作する１つまたは複数の制御信号を生成するように構成されたフィルタを含み、さらに記憶された制御状態情報を用い、途絶前の時点に対応する１つまたは複数の格納されたフィルタ状態値を用いてフィルタ回路をリセットすることにより受信信号の途絶を補償するように構成された補償回路とを含む、前記自動利得制御回路。
【請求項１９】
請求項１７記載の自動利得制御回路において、制御回路が受信機利得を信号測定値をフィルタ処理することに基づき変化させるように動作する１つまたは複数の制御信号を生成するように構成されたフィルタを含み、さらに記憶された制御状態情報を用い、途絶前の時点に対応する１つまたは複数の格納されたフィルタ状態値を用いてフィルタ回路を凍結することにより受信信号内の途絶を補償するように構成された補償回路を含む、前記自動利得制御回路。
【請求項２０】
請求項１６記載の自動利得制御回路において、自動利得制御回路が受信信号の途絶を、記憶された制御状態情報を使用し、途絶終了時点で、その途絶に先立ち格納された制御状態情報に基づき自動利得制御をリセットすることにより補償するように構成されている、前記自動利得制御回路。
【請求項２１】
請求項１６記載の自動利得制御回路において、自動利得制御回路が受信信号の途絶を、記憶された制御状態情報を使用し、途絶中に、その途絶に先立ち格納された制御状態情報に基づき自動利得制御を凍結することにより補償するように構成されている、前記自動利得制御回路。
【請求項２２】
請求項１６記載の自動利得制御回路において、自動利得制御回路が受信信号の途絶を、記憶された制御状態情報を使用し、無音期間途絶に対して、無音期間終了時点で、その無音期間途絶開始以前に格納された以前の制御状態情報に基づき自動利得制御をリセットすることにより補償するように構成されている、前記自動利得制御回路。
【請求項２３】
請求項１６記載の自動利得制御回路において、自動利得制御回路が受信信号の途絶を、記憶された制御状態情報を使用し、無音期間途絶に対して、無音期間終了時点でその無音期間途絶開始以前に格納された以前の制御状態情報に基づき自動利得制御を凍結することにより補償するように構成されている、前記自動利得制御回路。
【請求項２４】
請求項１６記載の自動利得制御回路において、自動利得制御回路が自動利得制御回路用の制御状態情報のランニングバッファを、記憶された制御状態情報として使用するために維持するように構成されている、前記自動利得制御回路。
【請求項２５】
請求項１６記載の自動利得制御回路において、自動利得制御回路が自動利得制御回路用の最新制御状態情報を連続するサンプリング時刻で保存し、途絶開始以前の１つまたは複数のサンプリング時刻で保存された制御状態情報を、途絶を補償するために用いられる記憶された制御状態情報として使用するように構成されている、前記自動利得制御回路。
【請求項２６】
請求項２５記載の自動利得制御回路において、自動利得制御回路が途絶の開始を検出し、検出された途絶開始以前の最新サンプリング時刻で保存された制御情報を、途絶を補償するために用いられる記憶された制御状態情報として使用するように構成されている、前記自動利得制御回路。
【請求項２７】
請求項１６記載の自動利得制御回路において、自動利得制御回路が受信信号の途絶を、記憶された制御状態情報を用い、受信信号の無音期間途絶に対して自動利得制御を補償することにより補償するように構成された、前記自動利得制御回路。
【請求項２８】
請求項１６記載の自動利得制御回路において、自動利得制御回路が受信信号の途絶を、記憶された制御状態情報を用い、受信信号の妨害電波途絶（jamming disruption）に対して自動利得制御を補償することにより補償するように構成された、前記自動利得制御回路。
【請求項２９】
請求項１６記載の自動利得制御回路において、自動利得制御回路が途絶を検出し、それに応答して前記補償にトリガを掛けるように構成されており、前記検出が無音期間途絶の検出および妨害電波障害の検出の少なくとも１つを含む、前記自動利得制御回路。
【請求項３０】
請求項１６記載の自動利得制御回路において、自動利得制御回路が受信信号に応答して受信機利得を、受信信号から導出された信号サンプルを所望の範囲内に維持するために、必要に応じて１つまたは複数の受信機利得を増加または減少させることにより変化させるように構成されている、前記自動利得制御回路。
【請求項３１】
請求項３０記載の自動利得制御回路において、自動利得制御回路が受信機利得を信号サンプルから得られたフィルタ処理された電力測定値に基づいて変更するように構成されている、前記自動利得制御回路。
【請求項３２】
請求項３１記載の自動利得制御回路において、自動利得制御回路が受信信号の途絶を、記憶された制御状態情報を用い、その途絶の終了時点で、フィルタ処理された電力測定値を得るために使用されるフィルタ回路を、記憶されたフィルタ状態情報を用いてリセットすることにより補償するように構成された、前記自動利得制御回路。
【請求項３３】
請求項１６記載の自動利得制御回路において、自動利得制御回路が受信信号の途絶を、記憶された制御状態情報を用いて、その途絶の終了時点で、自動利得制御回路用のフィルタ状態情報を、途絶開始前に格納されたフィルタ状態情報を用いてリセットすることにより補償するように構成された、前記自動利得制御回路。
【請求項３４】
無線通信受信機における自動利得制御の方法であって：
自動利得制御の対象である受信信号の途絶前に、自動利得制御設定値をキャプチャし；
途絶に対し自動利得制御を補償するためにキャプチャされた自動利得制御設定値を暫定的に使用する、以上を含む前記方法。
【請求項３５】
請求項３４記載の方法において、自動利得制御の対象である受信信号の途絶前に自動利得制御設定値をキャプチャすることが、途絶開始前に自動利得制御回路のフィルタ状態情報をキャプチャすることを含む、前記方法。
【請求項３６】
請求項３５記載の方法において、途絶開始前に自動利得制御回路のフィルタ状態情報をキャプチャすることが、途絶が切迫しているとの指示に応答してその途絶に先立ち１回または数回フィルタ状態情報をキャプチャすることを含む、前記方法。
【請求項３７】
請求項３５記載の方法において、途絶開始前に自動利得制御回路のフィルタ状態情報をキャプチャすることが、フィルタ状態情報を周期的にキャプチャすることを含み、更新されたフィルタ状態情報が途絶に先立つ１回または数回のキャプチャ時刻から利用できるようにしている、前記方法。
【請求項３８】
無線通信ネットワーク内で使用される無線基地局であって：
リバース・リンク信号を受信信号として受信するように構成された１つまたは複数の受信機と；
１つまたは複数の受信機と動作可能なように関連づけられ、
受信信号に応答して受信機利得を変更し；
受信信号の途絶に対して１つまたは複数の受信機の自動利得制御を、途絶開始前に自動利得制御回路用に保存された記憶された制御状態を用いて補償するように構成された自動利得制御回路を含む、前記無線基地局。
【請求項３９】
請求項３８記載の無線基地局において、自動利得制御回路が、途絶が切迫しているとの指示（indication）に応答して制御状態情報を保存するように構成されている、前記無線基地局。
【請求項４０】
請求項３９記載の無線基地局がさらに、途絶が切迫しているとの指示を生成するように構成された１つまたは複数の基地局処理回路を含む、前記無線基地局。
【請求項４１】
請求項３８記載の無線基地局において、自動利得制御回路が、制御状態情報を所望の更新速度で周期的に保存するように構成され、記憶された制御状態情報が途絶に先立つ１回または数回の更新周期から利用できるようにしている、前記方法。
【請求項４２】
請求項４１記載の無線基地局において、基地局処理回路が定時のリバース・リンク無音期間の間、リバース・リンク負荷を測定するように構成され、処理回路が定時の無音期間の各々に先立ち切迫した受信信号途絶の指示（indication）を生成し、自動利得制御回路が受信信号の無音期間途絶に対して補償がなされている、前記無線基地局。
【発明の詳細な説明】
【技術分野】
【０００１】
（関連出願）
本出願は 35 U.S.C 第１１９（ｅ）章に基づき、下記の米国仮出願に対して優先権を主張する：出願シリアル番号第６０／４８６，９３３号、２００３年７月１４日出願。この優先出願は此処に参照することで組み込まれている。
【０００２】
本発明は一般的に無線通信受信機に係わり、詳細にはその様な受信機の自動利得制御に関する。
【背景技術】
【０００３】
ほとんどの通信受信機は何らかの形式の自動利得制御（AGC：automatic gain control）を使用して受信信号を所望の範囲内に維持している。例えば、典型的な無線通信受信機は対象とする受信信号のデジタル化されたサンプルを、対象とする入力アナログ受信信号、例えばアンテナが放送される通信信号を受信する、から導出されたベースバンド・アナログ信号をデジタル化することで得ている。
【０００４】
当業者には理解されるように、満足のいくデジタル化を行うためには、アナログ入力信号を、その信号をデジタル化するために使用されるアナログ／デジタル変換器（ADC）に対して適切な、定められた信号（電圧）範囲に維持することが重要である。一方でアナログ入力信号は飽和を避けるためにＡＤＣの入力範囲の上限電圧値以下に保たれねばならず、また一方ではそのアナログ入力信号は許容出来る量子化精度を得るために十分高い信号レベルに保たれなければならない。すなわち、入力信号の範囲は一般的にＡＤＣの全量子化精度を実現するために、ＡＤＣの定められた入力電圧範囲の全域またはほぼ全域に渡っていなければならない。例えば、０−５ボルト入力信号範囲に対する１０ビットＡＤＣは、実際の入力信号範囲が２．５ボルトしか無い場合、有効解像度は９ビットまたはそれ以下で動作する。
【０００５】
これに関連して、ＡＧＣ回路は入力受信信号強度を追尾するように構成され、例えば必要に応じて１つまたは複数の受信機利得構成要素を調整して、ＡＤＣに対して所望の入力信号範囲に維持するようにしている。もちろん、ＡＧＣは入力信号範囲を制御すること以上に一連のＡＤＣ受信連鎖に対する適用性を有し、受信連鎖内のアナログ増幅器、フィルタなどの飽和を、例えば１つまたは複数の増幅器または前置増幅器段の利得を変化させることにより防止するように使用される。
【０００６】
しかしながら適用に際して、従来型ＡＧＣ機能はＡＧＣの基準として使用される信号内の急激な変動に対して混乱してしまう。例えば、受信信号が一時的に失われると、従来型ＡＧＣ機能は受信機利得を徐々に上昇させて、低いまたは存在しない受信信号強度を高めるように試みる。この行動様式は適切なＡＧＣ機能を表している一方で、受信機信号が戻った際には一時的な飽和問題の原因となる。同様の種類の過小または過大ブースト問題がその他の種類の信号変動、例えば信号妨害電波などでも生じ、此処で従来型ＡＧＣ機能は、非正常（変動）と安定（正常）信号状態との間で、望ましくない制御遅れを被ることになる。
【発明の開示】
【発明が解決しようとする課題】
【０００７】
本発明は無線通信ネットワーク内で使用される無線基地局内の無線通信受信機のような受信機の、自動利得制御のための方法並びに装置を含む。受信機利得制御は、受信信号を所望の信号範囲内に維持するために受信機利得を変化させ、本発明によれば自動利得制御は受信信号内の途絶、例えば無音期間の繰り返しまたは散発的な信号妨害電波で引き起こされる受信信号の途絶（disruptions）に対して補償される。大雑把に言って、その様な補償は信号途絶を抜け出した自動利得制御回路をその途絶前に格納された記憶されている利得制御情報を用いてリセットするか、またはその様な情報を用いて利得制御を途絶中維持、例えば凍結する。
【課題を解決するための手段】
【０００８】
１つの実施例において、本発明は無線通信受信機での自動利得制御の方法を含む。この方法は自動利得制御の対象である受信信号の途絶に先立つ時点で自動利得制御設定をキャプチャし、一時的にそのキャプチャした自動利得制御設定を用いて各途絶に対する自動利得制御を補償することを含む。受信信号の途絶前に自動利得制御設定をキャプチャすることは、途絶開始に先立つ時点での自動利得制御回路に対するフィルタ状態情報をキャプチャすることを含む。
【０００９】
このキャプチャされたフィルタ状態情報は途絶の最後に利得制御フィルタ処理をリセットするために使用されるか、または途絶中に与えられたフィルタ状態を維持するために使用される。後者の場合、利得制御回路は受信信号が途絶されている間はフィルタ更新動作を一時停止するように構成することも可能である。注意すべきは、途絶中に利得制御を凍結すると、受信信号が高電力で途絶（例えばジャンプ）する間、受信機を飽和状態に導くため、その途絶中に存続する利得制御を維持し、続けて先に述べたように途絶終了後に記憶されている状態情報を用いて利得制御をリセットすることは余り好ましくない。更に、無線基地局受信機では途絶は無音期間を含む場合がありこれは基地局受信機での雑音特性検出を可能とし、この場合途絶中に存続する利得制御を維持し正確な受信機雑音測定を支援することは一般的に好ましいことである。
【００１０】
従って、１つの実施例において、本発明は無線通信ネットワーク内で使用される無線基地局を含む。この無線基地局は、リバース・リンク信号を受信信号として受信するように構成された１つまたは複数の受信機と、１つまたは複数の受信機の中に含まれるかまたはそれに関連する自動利得制御回路を含む。１つの事例的実施例において、自動利得制御回路は受信機利得を受信信号に応じて変化させ、１つまたは複数の受信機の自動利得制御をその受信信号が途絶された場合に記憶された制御状態情報に基づいて補償するように構成されている。この記憶された制御状態情報は自動利得制御回路用に途絶に先立って保存されている。１つまたは複数の自動利得制御回路が、多元セクタ無線基地局内の各セクタの無線受信機用に構成されている。
【００１１】
この関連において、基地局はその１つまたは複数の自動利得制御回路が利得制御状態情報を周期的無音期間に先立ってキャプチャするように構成されている。この基地局は各無音期間に先立つ制御状態情報の記憶開始にトリガを掛けるためにタイマまたはその他のモニタ回路を使用している。続いて、基地局は存続する自動利得制御を継続し無音期間中に受信機雑音レベルの特性を取得し、記憶された情報を用いて各無音期間を出てきたその利得制御をリセットする。各無音期間中に受信された信号レベルは低いかまたは存在しないため、自動利得制御は高利得状態に向かう傾向があるため、無音期間終了時点での記憶された制御状態情報を用いて自動利得制御をリセットする動作は、そうしなければ受信信号が「復帰」した場合に生じるであろう受信機の飽和を回避または低減するものである。
【００１２】
もちろん、理解されなければならないのは、無音期間は本発明で補償される信号途絶のひとつの型式であり、本発明は広範な信号途絶に対して適応性を有しており、それらには先に述べたように信号妨害電波事象を含み、此処では所望する受信信号がより高電力の妨害電波信号で圧倒されるものである。従って、これらまたその他の信号途絶事象に際して、本発明は無線通信受信機での自動利得制御方法を広範に含み、これは自動利得制御対象である受信信号の途絶直前時点で自動利得制御設定をキャプチャし、このキャプチャされた自動利得制御設定を一時的に使用して各途絶に対する自動利得制御を補償することに基づいている。
【００１３】
本発明に基づく途絶補償用の利得制御設定のキャプチャまたは制御状態設定の記憶に関して、自動利得制御回路または支援回路は切迫した途絶、例えば来たる定時の無音期間（upcoming timed silence period）、を検出し、制御状態情報をその期間の開始直前にキャプチャするように構成できる。加えて、またはこれに代わってこれらの回路を制御状態情報の実行バッファを維持するように構成可能である。
【００１４】
格納されている情報は所望のサンプル時間（すなわち記憶装置更新間隔）に基づいて更新することが可能であり、更新は途絶中には格納された情報を保存するために一時中断される。１つの実施例において、自動利得制御回路は途絶の開始を検出するように構成されており、途絶の開始が検出される直近のサンプル時刻で保存された制御情報を記憶された制御状態情報として使用し、これが自動利得制御を補償するために使用される。勿論、他のバリエーションも可能である。
【００１５】
そのようなものとして、本発明は上記の情報に限定されるものでないことは理解されたい。実際、当業者は本発明の追加の特徴並びに利点を、その中にいくつかの事例が記述されている以下の詳細な説明を読み、また添付図を見ることにより認識されよう。
【発明を実施するための最良の形態】
【００１６】
図１は本発明の１つまたは複数の実施例に基づく、自動利得制御（AGC）回路１０の図である。ＡＧＣ回路１０は受信機１２と接続されているかまたはその中に含まれており、この受信機は例えば無線通信ネットワーク内の無線基地局内に含まれるような型式の受信チェーン回路（receive chain circuit）である。受信機１２はアンテナ１４に接続されており、限定的ではない例として、低雑音増幅器（LNA：low-noise amplifier）１６、アナログ・フィルタ回路１８、ダウン・コンバータ回路２０、およびアナログ／デジタル変換器（ADC）回路２２を含む。
【００１７】
運転時、受信機１２は入力受信信号をアンテナ１４経由で取得し、ＬＮＡ１６、フィルタ１８、およびダウン・コンバータ２０を用いてベースバンド周波数に増幅し、フィルタ処理し、そしてダウン・コンバートする。ダウン・コンバータ２０は２つまたはそれ以上の混合段を含み、従って受信信号をその搬送周波数帯域から中間周波数（IF）として、続いてベースバンド周波数に下げることも可能である。これに代わって、ダウン・コンバータ２０が直接変換ダウン・コンバータを含み、受信信号を直接ベースバンド周波数とすることも可能である。もちろん、その他の実施方法も可能であり、記述されているようにＩＦそして／またはベースバンド部、または代替方式にフィルタ処理および利得段を追加することが可能なことは理解されよう。
【００１８】
いずれにせよ、ダウン・コンバータ２０はＡＤＣ２２用の、入力信号に対応するアナログ入力信号を与える。入力信号の同相および直交成分に対応する２つの信号がＡＤＣ２２に与えられることに注意されたい。いずれの場合も、ＡＤＣ２２はアナログ入力信号をデジタル化し、これに相応してベースバンド受信信号サンプルの１つまたは複数のストリームを定められたサンプル速度で出力する。
【００１９】
当業者には理解されるように、デジタル化が上手くいくか否かはＡＤＣ２２へのアナログ入力信号を定められた信号（電圧）範囲内に維持することにかかっている。従って、ＡＧＣ回路１０は受信機１２の１つまたは複数の利得を、受信信号の変化に対応して、ＡＤＣ２２への入力信号を所望の信号範囲内に維持するように変化させるよう動作する。非限定的な例として示すと、ダウン・コンバータ回路２０は１つまたは複数の可変利得回路を含み、例えば可変利得増幅器／混合器、これらはＡＧＣ回路１０から出力される１つまたは複数のＡＧＣ信号に応答する。この様にして、ＡＧＣ回路１０は受信信号強度が増加すると受信機利得を減少させ、逆に受信信号強度が低下すると受信機利得を増加させる。ＡＧＣ回路１０から出力されるＡＧＣ信号は受信機チェーン内で制御される個々の可変利得回路の性質によって、アナログまたはデジタルがあり得る。
【００２０】
しかしながら、本発明の観点から言うと、ＡＧＣ回路１０は受信信号の途絶に応答してその進行中のＡＧＣ動作を補償するように構成されている。ＡＧＣ補償に付随する少なくともいくつかの特長を理解するために、図２および図３は受信信号途絶の非限定的な例を図示している。第１事象において、入力受信信号は、図２に示されるように、１つまたは複数の「無音」期間で中断されている。そのような無音期間中に測定される低受信信号強度のため、従来型ＡＧＣ回路は受信機利得を、おそらくは最大利得値まで増加させる傾向にあり、これは受信信号が復帰して無音期間が終了した時点で受信チェーンの望しくない飽和を引き起こす。
【００２１】
関心のある読者に対して、図２に図示された種類の無音期間が、例えばある種の型式の無線通信ネットワーク内で使用されることに注意されたい。例えば、1xEV-DO またはTIA-856 基準に基づくＣＤＭＡデータ・ネットワークは全領域または全ネットワーク「無音」期間を使用して、その期間中にリバース・リンク送信が一時中断される。その一時的中断はネットワーク内の無線基地局が、それらの受信機の背景雑音または熱雑音を測定することを可能とする。その様な測定は参照雑音測定値を提供し、これは後ほどリバース・リンクが再起動された後で、リバース・リンク上の無線基地局負荷を測定するために使用できる。言葉を変えると、無音期間は無線基地局に対してそれらの熱雑音を決定することを可能とし、この雑音値は次に「ライズ・オーバー・サーマル（Rise-Over-Thermal）」（ＲＯＴ）リバース・リンク負荷測定の基準値として機能する。
【００２２】
もちろん、任意の途絶が起こりえて、本発明のＡＧＣ回路１０で補償される。例えば、図３は受信信号途絶の別の事象を図示しており、此処でより強い干渉信号が、対象としている受信信号を、その受信機部において事実上圧倒することにより、当該受信信号に「妨害」（jam）を与える。妨害電波は無音に比較して反対のＡＧＣ問題を引き起こすことが分かるであろう、此処では従来型ＡＧＣ回路は高電力妨害電波条件に応答して受信機利得をある最小利得値まで下げる傾向にある。この挙動は妨害電波中に受信チェーンの飽和を回避するのに適切である一方で、妨害電波条件が取り除かれた際に従来型ＡＧＣ回路を極低利得設定の状態に放置する。
【００２３】
従って、従来型自動利得制御応答は受信信号途絶の終了時点で実受信信号を「遅延」させる。この遅れ挙動の結果、従来型ＡＧＣ回路が変化後の受信信号状態に「追いつく」まで、誤った受信機利得制御を続けることになる。
【００２４】
本発明によれば、ＡＧＣ回路１０はこれらの、またその他の問題を記憶された制御状態情報に基づき、受信信号途絶に関してＡＧＣ動作を補償することで回避する。非限定的な例として、図４はＡＧＣ回路１０の詳細例を図示する。図示されたＡＧＣ回路１０は対象となる受信信号に対応する測定値を生成するための演算回路３０、これらの測定値に応答して受信機利得を制御するための１つまたは複数のＡＧＣ信号を生成するための制御回路３２とを含む。
【００２５】
例えば、演算回路３０は受信信号電力測定値を所望の測定速度で、ＡＤＣ２２から出力されたベースバンド受信信号サンプルに基づいて生成する。言い換えると、ＡＧＣ回路１０はこれらの電力測定値に応答して出力利得制御信号を生成するように構成することが可能である。好適な実施例において、制御回路３２はフィルタ回路３４を含み、これは演算回路３０から出力される電力測定値のフィルタ処理に基づいてＡＧＣ信号を生成するように構成される。当業者には理解されるように、フィルタ回路３４は本質的に任意のフィルタ、例えば無限インパルス応答（IIR：Infinite Impulse Response）、有限インパルス応答（FIR：Finite Impulse Response）、指数関数重み付けなどを含む。１つの実施例において、フィルタ回路３４は１つまたは複数極（poles：ポール）のＩＩＲまたはＦＩＲフィルタを含み、これは現在測定値に基づく１つのフィルタ出力と、１つまたは複数のフィルタ状態値とを有する。
【００２６】
従って、「記憶」されている（“remembered”）制御状態情報はフィルタ状態情報を含む。簡単に言えば、補償回路３６はフィルタ回路３４に対するフィルタ状態情報を信号途絶の直前に保存し、次に記憶されたフィルタ状態情報を信号途絶の終了時に再ロードすることによりフィルタ回路３４をリセットするように構成することが可能である。このようにすることで、フィルタ回路３４の収束時間は大幅に削減されるが、それは受信信号レベルが途絶前のレベルまたはそれにほぼ近いレベルに戻るためである。特にこの手法はＡＧＣ回路１０を途絶中に「生かして」おく（“live”）ことを可能とする。すなわち、ＡＧＣ回路１０は受信信号の測定を継続し、そのＡＧＣ信号出力を途絶で変化する信号状態を反映するように更新し、更にその途絶が終了した時点で途絶前の制御状態、またはそれに近い値に、現在の途絶事象直前の時点でキャプチャされた制御状態情報を再ロードすることにより素早く戻ることが可能である。
【００２７】
フィルタ状態情報は定期的にキャプチャ可能であるため、ＡＧＣ回路１０は途絶の後に自身でリセットするか、または途絶中に自身を凍結しておく（freeze itself）ことを、単一のキャプチャ時刻、例えばその途絶開始時点に一番近いキャプチャ時刻、でキャプチャされたキャプチャ設定値に基づいて行うことができる。しかしながら、１つのバッファで複数のキャプチャされたフィルタ状態を維持できるので、ＡＧＣ回路１０のリセットまたは凍結を途絶に先立ってキャプチャされた最新のＮ個のフィルタ状態の平均値に基づくことも可能なことを理解されたい、此処でＮはバッファ深さで制限される或る数であって所望する平均値関数に従って設定される。当業者には理解されるように、最新の既知の良好制御設定値または値の待ち行列（queue）を保持するように構築されるＡＧＣ回路１０実現方法には種々のバリエーションが可能である。
【００２８】
上記を考慮して、図５はＡＧＣ回路１０の処理ロジック例を図示しており、此処でＡＧＣ回路１０は受信機利得を受信信号変化に応じて変更する（ステップ１００）。ＡＧＣ１０の処理は継続して、受信信号途絶の兆候を受信すると（ステップ１０２）、その場合ＡＧＣの動作をその途絶に応答して補償する。ＡＧＣ回路１０に途絶を検出することが可能な処理ロジック、例えば過剰な受信信号強度（例えば妨害電波障害（jamming interruption））を検出することによる、を含めることも可能であるし、または受信機の何処か別の場所にあって途絶検出／制御を提供する支援ロジックに依存することが可能なことに留意されたい。
【００２９】
いずれにせよ、図６は信号途絶を補償するために使用される記憶された制御状態を維持するための１つの方法を図示する。此処で、格納されている制御状態情報は周期的に更新されて、比較的最新の制御状態情報のサンプルが任意の指定された途絶に関して利用できることを保証している。
【００３０】
更に詳細には、処理は直接または間接的な受信信号の測定に基づき、ＡＧＣ測定値を獲得し、これは続いて現在のＡＧＣ信号値を更新するために使用される（ステップ１１０）。受信信号が現在途絶状態に無い場合は、現在格納されている制御状態情報を更新することで処理は継続される（ステップ１１２および１１４）。処理はステップ１１０のＡＧＣ測定／制御ループに戻り、格納された情報の更新が完了する。このロジックでは、ＡＧＣ測定／制御は受信信号が途絶状態にあるなしに係わらず実行されるが、格納された制御情報は信号途絶状態の間は更新されないことに注意されたい。選択的更新はＡＧＣ回路１０用の「最後の既知の良好な」制御状態情報を保存し、これは現在の途絶に先立ってキャプチャされたものである。
【００３１】
受信信号が途絶状態にある場合（ステップ１１２）、処理はその途絶が終了したか否かをチェックすることで継続する（ステップ１１６）。非限定的な例として示すと、このチェックは既知の無音期間間隔のタイミングに基づくか、受信機内部のまたは関連する他の処理ロジックからの指示を受けるか、または受信信号を監視することに基づいて行われる。いずれの場合も、その途絶状態が終了していない場合には、処理はＡＧＣ測定／制御ループに戻る。これに引き替え、その途絶が終了している場合、または終了しつつある場合、ＡＧＣ１０の補償回路３６は記憶されている制御状態情報を用いてＡＧＣ回路１０を補償し、その非途絶状態に戻っている受信信号に対応した制御を改善する。
【００３２】
留意されるように、その様な補償は記憶されたフィルタ状態情報を用いてフィルタ回路３４をリセットすることを含む。いずれにせよ、ＡＧＣ回路１０の補償は途絶終了時、またはその終了直後の第１番目のＡＧＣ回路１０の更新を、途絶開始直前にキャプチャされた制御状態情報に基づくようにタイミングを取ることが可能である。特に、補償中の途絶が定時的な無音期間（timed silence period）の場合、ＡＧＣ回路１０はその途絶前の制御状態キャプチャ動作およびその途絶後の制御状態リセット動作の両方が、無音期間の既知のタイミングに関して調整される（coordinated）ように制御可能である。
【００３３】
従って、ＡＧＣ回路１０は制御状態キャプチャを、上記の周期的更新処理に代わって、またはこれに追加して必要に応じて実施するように構成できる。途絶前の、必要に応じてのキャプチャ構成は、ＡＧＣ回路１０が差し迫った途絶（impending disruption：切迫した途絶、間近に起こる途絶）を検出可能であったり、またはその様な途絶を前もって示すことを具備しているような実施例では特に有用であろう。１つの例として、１つまたは複数の無音間隔に関連する既知のタイミング情報をＡＧＣ回路１０に与えることが可能であり、またはそのキャプチャ／補償動作にトリガを掛けるために使用できる。
【００３４】
図７はそのような動作を図示しており、此処でＡＧＣ回路１０はいまから来る信号途絶があるか（pending）の判定を（ステップ１２０）、当該信号途絶のタイミングそして／または受信信号監視に基づくかまたは、他の回路からそのような指示を提供されることに基づいて行う。いまから来る途絶がある場合、ＡＧＣ回路１０は現在の利得制御設定、例えばフィルタ状態、現在の利得制御信号値など、をキャプチャし、その格納されている制御情報を更新する（ステップ１２２）。いまから来る途絶がない場合、ＡＧＣ回路１０は進行中の途絶（ongoing disruption）が、もし有るのならば、終了しているか否かを判定する（ステップ１２４）。
【００３５】
終了している場合、ＡＧＣ回路１０の補償回路３６はＡＧＣ回路１０を記憶されている制御状態情報を用いてリセットし、リセット状態に基づいて更新されたＡＧＣ出力を生成して処理を継続する。信号が途絶していない場合、または途絶が終了に至っていない場合、処理はステップ１２４から継続し、新たなＡＧＣ測定値を現在の受信信号に基づいて生成し（すなわち、信号が途絶しているか否かにかかわらず）、ＡＧＣ信号は新たな測定値に関して更新され（ステップ１２６）処理を継続する。
【００３６】
上記の処理ロジックの中で、図６に図示されているようにＡＧＣ回路１０は進行中の自動利得制御を全ての信号途絶以前、途中、および以後に渡って維持するように構成されていることが理解されよう。留意されるように、途絶の間ＡＧＣを生かして維持する（maintaining live）ことが望ましいのは、例えば無音期間受信機雑音測定を支援したり、または妨害電波期間の受信機飽和を回避するために全ての途絶中に渡って受信機利得調整を継続すべき場合である。しかしながら、これに代わって指定の途絶の直前のＡＧＣ状態を保存し、続いて途絶中にＡＧＣ回路１０を「凍結」するために使用できることは理解されよう。この様にしてＡＧＣ回路１０を凍結することにより、受信機利得制御が極端な方向またはその反対方向（すなわち、極高または極低）に、途絶中に駆動されることを、利得制御をその途絶に先行して有効であったものと同一の利得設定に保持することで防止している。
【００３７】
受信信号途絶中にＡＧＣ回路１０が凍結されているか実行状態を維持しているかに関わらず、図８は本発明に基づく１つまたは複数のＡＧＣ回路１０を含む無線基地局４０の例を図示する。無線基地局４０は無線通信ネットワーク、例えばIS-2000または広帯域CDMA基準に準拠したセルラ通信ネットワーク、内で使用する様に構成されている。例として示す実施例において、無線基地局４０は 1xEV-DO または TIA-856 規格に準拠する無線ネットワーク内で動作するように構成されており、この中で指定時間で動作するリバース・リンク無音期間を使用して、ネットワーク内の無線基地局での受信機雑音測定を可能としており、ＡＧＣ回路１０は無音期間終了時およびリバース・リンク信号回復時に受信機利得制御を改善するために使用される。
【００３８】
図示されている無線基地局４０は１つまたは複数の、通信可能なように自身を支えている基地局制御装置またはその他のネットワーク制御機器に結合するインタフェース回路４２、無線基地局通信並びに制御処理回路４４、１つまたは複数のＡＧＣ回路１０を含むリバース・リンク無線受信機４６、およびフォワード・リンク無線送信機４８を含む。受信機４６および送信機４８はそれぞれアンテナ構成要素５０および５２を用いて受信ならびに送信を行う。
【００３９】
例として示す構成の中で、無線基地局４０は無線セクタ毎に２つの受信アンテナ構成要素を含み、セクタ毎に２つの無線受信機を使用し、各々の受信機はそれ自身のＡＧＣ機能を有する。指定されたセクタに割り当てられている無線受信機は個別に指定された制限内で利得制御可能であるが、それらの受信機に対するＡＧＣはそれらの受信機間で許容される最大利得の不一致を制御するように構成可能である。
【００４０】
いずれの場合も、理解されたいのは受信機４６は１つまたは複数のＡＧＣ回路１０を含むかまたはそれに接続されていて、本発明に基づくＡＧＣ補償が供給される。無線基地局４０は典型的にハードウェアおよびソフトウェア、およびアナログおよびデジタル回路の混在されたものを含み、ＡＧＣ回路１０はハードウェア、ソフトウェア、またはそれらの任意の組み合わせで実現される。例として示す実施例において、各々のＡＧＣ回路１０は、この回路１０が対象とする受信信号のデジタル化されたサンプルを処理、例えば信号強度（例えば電力）測定、フィルタ処理など、するように構成されたデジタル処理ロジックを含み、対応する受信機用にＡＧＣ信号を生成することはデジタル領域内で実行される。
【００４１】
特に、受信信号のデジタル化が高サンプリング速度で実行される場合、ＡＧＣ回路１０は少なくとも一部プログラム化されたハードウェア、例えば１つまたは複数のフィールド・プログラム可能・ゲート・アレイ（Field Programmable Gate Array：FPGA）、特定用途集積回路（ASIC）、そして／またはその他の複合プログラム可能論理素子（Complex Programmable logic Devices：CPLD：複合論理デバイス）で実現される。従って演算回路３０および制御回路３２、フィルタ回路３４および補償回路３６を含む、は全体またはその一部を、プログラム可能デジタル・ロジックを用いて実現できる。このロジックはＡＧＣ回路１０用の制御状態情報を格納するように構成された１つまたは複数のメモリ・レジスタとインタフェースされているかまたは、内部に含み、動作に際してＡＧＣロジックは必要に応じてこれらのメモリ・レジスタに読み書き可能のように構成され、例えばフィルタ状態値の実行中待ち行列を維持するために使用される。
【００４２】
勿論、ＡＧＣ回路１０の全てまたは一部はデジタル信号処理装置（DSP）、マイクロプロセッサ、またはその他の格納されているプログラム命令を実行するように構成された一般ロジック回路内で実現できることは理解されよう。この文脈の中で、本発明は（非揮発）メモリ内に常駐している格納されたプログラム命令として、少なくとも部分的に実現できるであろう。いずれの場合も、これらの詳細は個別の設計要求、およびその中で本発明のＡＧＣ回路１０が実現されるシステムの資源に基づいて変更され得ることは理解されよう。
【００４３】
従って、アナログ形式、またはデジタル形式、ハードウェアまたはソフトウェア、またはその両方で実現されるか否かにかかわらず、本発明は１つまたは複数の型式の信号途絶に対応する受信機内のＡＧＣ機能の補償を行うことを意図しており、従ってＡＧＣ制御は少なくとも信号の途絶から非途絶状態への遷移に関して改善されている。本発明の特長ではあるが非限定的な本発明の方法が本発明を受信機に適用することで図示されており、これは定時での繰り返し無音期間（timed, repeating silence periods）を使用し、その期間中にこれらの受信機はその雑音を測定する一方で受信信号は一時停止されているが、その後受信信号が戻ると正確な利得制御に復帰しなければならないものである。
【００４４】
従って、本発明は先に述べた詳細説明に限定されるものではない。実際、本発明は添付の特許請求の範囲およびそれらの妥当な法的同等物によってのみ制限される。
【図面の簡単な説明】
【００４５】
【図１】図１は無線通信受信機例と共に図示されている自動利得制御（AGC）回路例の図である。
【図２】図２は本発明に基づく自動利得制御に関連して対象となる受信信号途絶の種々の型式の内の１つの図である。
【図３】図３は本発明に基づく自動利得制御に関連して対象となる受信信号途絶の種々の型式の内のもう１つの図である。
【図４】図４は図１のAGC回路の１つまたは複数の実施例の機能詳細例の図である。
【図５】図５は本発明に基づく自動利得制御方法の１つまたは複数の実施例による処理ロジック例の図である。
【図６】図６は本発明に基づく自動利得制御方法の１つまたは複数の実施例による処理ロジック例の図である。
【図７】図７は本発明に基づく自動利得制御方法の１つまたは複数の実施例による処理ロジック例の図である。
【図８】図８は、本発明に基づきそのリバース・リンク受信機運転に関して自動利得制御を組み入れている、無線通信ネットワーク内で使用される無線基地局例の図である。
【図１】
2007532017.tif 000003
【図２】
2007532017.tif 000004
【図３】
2007532017.tif 000005
【図４】
2007532017.tif 000006
【図５】
2007532017.tif 000007
【図６】
2007532017.tif 000008
【図７】
2007532017.tif 000009
【図８】
2007532017.tif 000010
【手続補正書】
【提出日】平成17年6月2日(2005.6.2)
【手続補正１】
【補正対象書類名】特許請求の範囲
【補正対象項目名】全文
【補正方法】変更
【補正の内容】
【特許請求の範囲】
【請求項１】
無線通信受信機における自動利得制御の方法であって：
受信信号が途絶する期間を含む受信信号に応答する自動利得制御回路を経由して受信機利得を変更し；
途絶の終了時点でその途絶開始以前に格納された制御状態情報を用いて自動利得制御回路をリセットすることを含む、前記方法。
【請求項２】
請求項１記載の方法において、途絶終了時点で自動利得制御回路をリセットすることが、無音期間途絶に対して、無音期間終了時点で自動利得制御回路をその無音期間開始前に格納された制御状態情報を用いてリセットすることを含む、前記方法。
【請求項３】
請求項１記載の方法がさらに、自動利得制御回路用の制御状態情報のランニングバッファ（running buffer）を、自動利得制御回路をリセットするために使用される、格納された制御状態情報として使用するために維持することを含む、前記方法。
【請求項４】
請求項１記載の方法がさらに、自動利得制御回路用の現在の制御状態情報を連続するサンプリング時刻で保存しておき、途絶の開始に先立つ１つまたは複数のサンプリング時刻で保存した前記現在の制御状態情報を、自動利得制御回路をリセットするために使用することを含む、前記方法。
【請求項５】
請求項４記載の方法がさらに、途絶の開始を検出し、検出された途絶開始より前の最も近くのサンプリング時刻で保存された制御状態情報を、自動利得制御回路をリセットするために使用する制御状態情報として使用することを含む、前記方法。
【請求項６】
請求項１記載の方法において、途絶の終了時点で、その途絶開始前に格納された制御状態情報を使用して自動利得制御回路をリセットすることが、受信信号の無音期間途絶に対して自動利得制御回路をリセットすることを含む、前記方法。
【請求項７】
請求項１記載の方法において、途絶の終了時点で、その途絶開始前に格納された制御状態情報を使用して自動利得制御回路をリセットすることが、受信信号の妨害電波途絶に対して自動利得制御回路をリセットすることを含む、前記方法。
【請求項８】
請求項１記載の方法がさらに、受信信号に途絶が有るか否かを検出し、それに応答して自動利得制御回路の補償のトリガを掛けることを含み、この検出が無音期間途絶の検出および妨害電波障害の検出の少なくとも１つを含む、前記方法。
【請求項９】
請求項１記載の方法がさらに、途絶に先行して自動利得制御回路経由で受信機利得を、受信信号から導き出された信号サンプルを所望の範囲内に維持するために、必要に応じて１つまたは複数の受信機利得を増加または減少させることにより変更することを含む、前記方法。
【請求項１０】
請求項９記載の方法において、受信信号から導き出された信号サンプルを所望の範囲内に維持するために、必要に応じて１つまたは複数の受信機利得を増加または減少させることが、信号サンプルから得られたフィルタ処理された電力測定値に基づいて受信機利得を変更することを含む、前記方法。
【請求項１１】
請求項１０記載の方法において、途絶の終了時点で、格納された制御状態情報を用いて自動利得制御回路をリセットすることが、フィルタ処理された電力測定値を得るために使用されるフィルタ回路を、記憶されたフィルタ状態情報を用いてリセットすることを含む、前記方法。
【請求項１２】
請求項１記載の方法において、途絶の終了時点で、格納された制御状態情報を用いて自動利得制御回路をリセットすることが、自動利得制御回路用のフィルタ状態情報を、その途絶開始以前に格納されたフィルタ状態情報を用いてリセットすることを含む、前記方法。
【請求項１３】
無線通信受信機用に自動利得制御を提供するための自動利得制御回路であって、１つまたは複数の処理回路を含む前記自動利得制御回路が：
受信機利得を、受信信号が途絶される期間を含む受信信号に応答して変更し；
受信信号の途絶を、途絶以前に格納された制御状態情報を用いて補償するように構成されている、前記自動利得制御回路。
【請求項１４】
請求項１３記載の自動利得制御回路において、１つまたは複数の処理回路が、受信信号用の信号測定値を生成するように構成された演算回路と、受信機利得を信号測定値の関数として変化させるように構成された制御回路とを含む、前記自動利得制御回路。
【請求項１５】
請求項１４記載の自動利得制御回路において、制御回路が受信機利得を信号測定値をフィルタ処理することに基づき変化させるように動作する１つまたは複数の制御信号を生成するように構成されたフィルタを含み、途絶前の時点に対応する１つまたは複数の格納されたフィルタ状態値を用いてフィルタ回路をリセットすることにより受信信号の途絶を補償するように構成された補償回路とを含む、前記自動利得制御回路。
【請求項１６】
請求項１３記載の自動利得制御回路において、自動利得制御回路が受信信号の途絶を、途絶終了時点で、その途絶に先立ち格納された制御状態情報に基づき自動利得制御をリセットすることにより補償するように構成されている、前記自動利得制御回路。
【請求項１７】
請求項１３記載の自動利得制御回路において、自動利得制御回路が受信信号の途絶を、無音期間途絶に対して、無音期間終了時点で、その無音期間途絶開始以前に格納された状態情報を用いて自動利得制御をリセットすることにより補償するように構成されている、前記自動利得制御回路。
【請求項１８】
請求項１３記載の自動利得制御回路において、自動利得制御回路が制御状態情報のランニングバッファを、受信信号の途絶を補償するのに使用するために維持するように構成されている、前記自動利得制御回路。
【請求項１９】
請求項１３記載の自動利得制御回路において、自動利得制御回路が自動利得制御回路用の現在の制御状態情報を、途絶開始前の連続するサンプリング時刻で保存しておき、１つまたは複数のサンプリング時刻で保存された制御状態情報を、途絶を補償するために用いられる制御状態情報として使用するように構成されている、前記自動利得制御回路。
【請求項２０】
請求項１９記載の自動利得制御回路において、自動利得制御回路が途絶の開始を検出し、検出された途絶開始以前の最新サンプリング時刻で保存された制御情報を、途絶を補償するために用いられる制御状態情報として使用するように構成されている、前記自動利得制御回路。
【請求項２１】
請求項１３記載の自動利得制御回路において、自動利得制御回路が受信信号の途絶を、受信信号の無音期間途絶に対して自動利得制御を補償することにより補償するように構成された、前記自動利得制御回路。
【請求項２２】
請求項１３記載の自動利得制御回路において、自動利得制御回路が受信信号の途絶を、受信信号の妨害電波途絶（jamming disruption）に対して自動利得制御を補償することにより補償するように構成された、前記自動利得制御回路。
【請求項２３】
請求項１３記載の自動利得制御回路において、自動利得制御回路が途絶を検出し、それに応答して前記補償にトリガを掛けるように構成されており、この検出が無音期間途絶の検出および妨害電波障害の検出の少なくとも１つを含む、前記自動利得制御回路。
【請求項２４】
請求項１３記載の自動利得制御回路において、自動利得制御回路が受信信号の途絶に先立ち受信機利得を、受信信号から導出された信号サンプルを所望の範囲内に維持するために、必要に応じて１つまたは複数の受信機利得を増加または減少させることにより変化させるように構成されている、前記自動利得制御回路。
【請求項２５】
請求項２４記載の自動利得制御回路において、自動利得制御回路が受信機利得を信号サンプルから得られたフィルタ処理された電力測定値に基づいて変更するように構成されている、前記自動利得制御回路。
【請求項２６】
請求項２５記載の自動利得制御回路において、自動利得制御回路が受信信号の途絶を、その途絶の終了時点で、フィルタ処理された電力測定値を得るために使用されるフィルタ回路を、その途絶開始前に格納されたフィルタ状態情報を用いてリセットすることにより補償するように構成された、前記自動利得制御回路。
【請求項２７】
請求項１３記載の自動利得制御回路において、自動利得制御回路が受信信号の途絶を、その途絶の終了時点で、自動利得制御回路用のフィルタ状態情報を、途絶開始前に格納されたフィルタ状態情報を用いてリセットすることにより補償するように構成された、前記自動利得制御回路。
【請求項２８】
無線通信ネットワーク内で使用される無線基地局であって：
リバース・リンク信号を受信信号として受信するように構成された１つまたは複数の受信機と；
１つまたは複数の受信機と動作可能なように関連づけられ、
受信信号途絶期間を含む受信信号に応答して受信機利得を変更し；
受信信号の途絶に対して１つまたは複数の受信機の自動利得制御を、途絶開始前に自動利得制御回路用に保存された制御状態を用いて補償するように構成された自動利得制御回路を含む、前記無線基地局。
【請求項２９】
請求項２８記載の無線基地局において、自動利得制御回路が、途絶が切迫しているとの指示（indication）に応答して制御状態情報を保存するように構成されている、前記無線基地局。
【請求項３０】
請求項２９記載の無線基地局がさらに、途絶が切迫しているとの指示を生成するように構成された１つまたは複数の基地局処理回路を含む、前記無線基地局。
【請求項３１】
請求項２８記載の無線基地局において、自動利得制御回路が、制御状態情報を所望の更新速度で周期的に保存するように構成され、保存された制御状態情報が途絶に先立つ１回または数回の更新周期から利用できるようにしている、前記方法。
【請求項３２】
請求項３１記載の無線基地局において、基地局処理回路が定時のリバース・リンク無音期間の間、リバース・リンク負荷を測定するように構成され、処理回路が各々の定時無音期間に先立ち切迫した受信信号途絶の指示（indication）を生成し、自動利得制御回路が受信信号の無音期間途絶に対して補償がなされている、前記無線基地局。
【国際調査報告】
2007532017.tif 000011
2007532017.tif 000012
2007532017.tif 000013
2007532017.tif 000014
2007532017.tif 000015